(57)【要約】【課題】プレキャストコンクリート板上に設置された埋込材の間や、貫通孔にコンクリートが円滑に充填されるコンクリートスラブにおける埋込材を提供することである。【解決手段】コンクリートスラブ９中に埋設された垂直面２をもつ埋込材１において、前記垂直面２が下側に向かって内側または外側に傾斜したことを特徴とする。【選択図】  図１
2005016119.tif 000002
【特許請求の範囲】
【請求項１】
コンクリートスラブ中に埋設された垂直面をもつ埋込材において、前記垂直面が下側に向かって内側に傾斜したことを特徴とするコンクリートスラブにおける埋込材。
【請求項２】
コンクリートスラブ中に埋設されたカプセル状の埋込材において、該埋込材外周が下側に向かって内側に傾斜した面であることを特徴とするコンクリートスラブにおける埋込材。
【請求項３】
下側に向かって内側に傾斜した面が楕円体面であることを特徴とする請求項２に記載のコンクリートスラブにおける埋込材。
【請求項４】
コンクリートスラブ中に埋設された貫通孔をもつ埋込材において、前記貫通孔が下側に向かって外側に傾斜したことを特徴とするコンクリートスラブにおける埋込材。
【発明の詳細な説明】
【０００１】
【発明の属する技術分野】
本発明はコンクリートスラブにおける埋込材に関するものである。
【０００２】
【従来の技術】
コンクリートスラブにおける埋込材として、例えば特開昭６１−１７６５１号公報、特開昭６３−７８９４３号公報および特開２００２−１５５５９３号公報の発明がある。上記の埋込材は多角柱体、貫通孔を備えた平面矩形の発泡体およびカプセル状のものである。
【０００３】
【特許文献１】
特開昭６１−１７６５１（図５）
【特許文献２】
特開昭６３−７８９４３（図２）
【特許文献３】
特開２００２−１５５５９３（図１）
【０００４】
【発明が解決しようとする課題】
しかし、上記のような埋込材１０は貫通孔１１および側面１２がすべて垂直面となっているため、図１０に示すように、プレキャストコンクリート板１３に打設されたコンクリート１４が、埋込材間１５および貫通孔１１に充填されにくくなり、特にスランプが小さい場合や、狭いエリヤへの充填の場合は、コンクリート５が途中で引っ掛るという問題があった。
【０００５】
本発明は上記のような問題に鑑みてなされたものであり、その目的は、プレキャストコンクリート板上に設置された埋込材の間や、貫通孔にコンクリートが円滑に充填されるコンクリートスラブにおける埋込材を提供することである。
【０００６】
【課題を解決するための手段】
以上の課題を解決するためのコンクリートスラブにおける埋込材は、コンクリートスラブ中に埋設された垂直面をもつ埋込材において、前記垂直面が下側に向かって内側に傾斜したことを特徴とする。
またコンクリートスラブにおける埋込材は、コンクリートスラブ中に埋設されたカプセル状の埋込材において、該埋込材外周が下側に向かって内側に傾斜した面であることを特徴とする。また下側に向かって内側に傾斜した面が楕円体面であることを含むものである。
またコンクリートスラブにおける埋込材は、コンクリートスラブ中に埋設された貫通孔をもつ埋込材において、前記貫通孔が下側に向かって外側に傾斜したことを特徴とする。
【０００７】
埋込材がプレキャストコンクリート板上に適宜間隔ごとに設置されると、埋込材の間は下側に向かって幅広となり、埋込材の貫通孔も下側に向かって幅広となっているため、打設したコンクリートが埋込材間や貫通孔の最小間隙部を通過した後は、途中で引っ掛かるとことなく落下していき、コンクリートの充填性が改良される。これが、最小間隙部と同幅であると、トレミー管による打設と同様に、周辺摩擦でコンクリートが途中で引っ掛かりやすくなる。
【０００８】
【発明の実施の形態】
以下、本発明のコンクリートスラブにおける埋込材（以下、埋込材という）の実施の形態を図面に基づいて説明する。なお、各実施の形態において同じ構成は同じ符号を付して説明し、異なった構成には異なった符号を付して説明する。
【０００９】
図１は第１の実施の形態の埋込材１を示すものであり、断面六角形の発泡柱体である。この埋込材１は、図２に示すように、側面２が下側に向かって内側に傾斜して形成され、図３に示すように、プレキャストコンクリート板３上に適宜間隔をもって設置された場合、埋込材間４が下側に向かって幅広になっている。したがって、プレキャストコンクリート板３上に打設されたコンクリート５が埋込材間４に打設されやすくなっている。
【００１０】
図４は第２の実施の形態の埋込材６を示すものであり、上下にわたる貫通孔７を備えた平面矩形のものである。この埋込材６の四側面２は全て下側に向かって内側に傾斜して形成されるとともに、貫通孔７も下側に向かって幅広に形成されている。したがって、この埋込材６も、図６に示すように、プレキャストコンクリート板３上に適宜間隔をもって設置された場合は、埋込材間４が下側に向かって幅広に形成されるため、プレキャストコンクリート板３上に打設されたコンクリート５が埋込材間４および貫通孔７へ打設されやすくなる。
【００１１】
図７は第３の実施の形態の埋込材８を示すものであり、カプセル状のものである。この埋込材８の周側面２は全て下側に向かって内側に傾斜して形成されている。したがって、この埋込材８も、図９に示すように、プレキャストコンクリート板３上に適宜間隔をもって設置された場合は、埋込材間４が下側に向かって幅広に形成されるため、プレキャストコンクリート板３上に打設されたコンクリート５が埋込材間４へ打設されやすくなる。
【００１２】
上記のような埋込材１、６、８を用いて形成したコンクリートスラブ９は、埋込材間４のコンクリート５の充填が十分であるとともに、埋込材間４にコンクリート５が打設されやすくなるため、コンクリートスラブ９の構築も簡単になる。
【００１３】
【発明の効果】
埋込材がプレキャストコンクリート板上に適宜間隔ごとに設置されると、埋込材の間は下側に向かって幅広となり、埋込材の貫通孔も下側に向かって幅広となっているため、コンクリートが埋込材の間および貫通孔に充填されやすくなって、途中で引っ掛るということがなく、円滑に充填される。
【図面の簡単な説明】
【図１】第１の実施の形態の埋込材の平面図である。
【図２】図１のＡ−Ａ線断面図である。
【図３】コンクリートスラブの断面図である。
【図４】第２の実施の形態の埋込材の平面図である。
【図５】図４のＢ−Ｂ線断面図である。
【図６】コンクリートスラブの断面図である。
【図７】第３の実施の形態の埋込材の平面図である。
【図８】図７の平面図である。
【図９】コンクリートスラブの断面図である。
【図１０】従来のコンクリートスラブの断面図である。
【符号の説明】
１、６、８、１０  埋込材
２、１２  側面
３、１３  ＰＣ板
４、１５  埋込材間
５、１４  コンクリート
７、１１  貫通孔
９  コンクリートスラブ
【図１】
2005016119.tif 000003
【図２】
2005016119.tif 000004
【図３】
2005016119.tif 000005
【図４】
2005016119.tif 000006
【図５】
2005016119.tif 000007
【図６】
2005016119.tif 000008
【図７】
2005016119.tif 000009
【図８】
2005016119.tif 000010
【図９】
2005016119.tif 000011
【図１０】
2005016119.tif 000012